【手続補正書】
【提出日】平成17年8月10日(2005.8.10)
【手続補正１】
【補正対象書類名】明細書
【補正対象項目名】特許請求の範囲
【補正方法】変更
【補正の内容】
【特許請求の範囲】
【請求項１】
カラー画像を得るための３つ以上の異なる分光特性を有する複数の画素を含む電子撮像素子と、前記電子撮像素子の撮像面上に被写体像を形成する撮像光学系とを有し、
該撮像光学系は、最小Ｆ値をFminとし、Ｆ値がFminかつ無限遠物点合焦時のｈ線（404.7nm）におけるマージナル光線の球面収差量の絶対値をLｈ、ｄ線（587.56nm）におけるマージナル光線の球面収差量の絶対値をLｄとしたときに、次の条件式(1)を満足するとともに、
最大像高の像高比０．９、０．７、０．５におけるｄ線に対するｈ線の倍率色の横収差量をＳｈとしたときに、次の条件式(2)を満足することを特徴とする電子撮像装置。
（Lｈ−Lｄ）／Fmin ≦０．０７ｍｍ                           ……(1)
｜Ｓｈ｜≦０．０４ｍｍ                                      ……(2)
【請求項２】
カラー画像を得るための３つ以上の異なる分光特性を有する複数の画素を含む電子撮像素子と、前記電子撮像素子の撮像面上に被写体像を形成する撮像光学系とを有し、
該撮像光学系は、前記画素の最小ピッチをＰ、最小Ｆ値をFminとし、Ｆ値がFminかつ無限遠物点合焦時のｈ線（404.7nm）におけるマージナル光線の球面収差量の絶対値をLｈ、ｄ線（587.56nm）におけるマージナル光線の球面収差量の絶対値をLｄとしたときに、次の条件式(3)を満足するとともに、
最大像高の像高比０．９、０．７、０．５におけるｄ線に対するｈ線の倍率色の横収差量をＳｈとしたときに、次の条件式(4)を満足することを特徴とする電子撮像装置。
（Lｈ−Lｄ）／Fmin ≦６Ｐ                                  ……(3)
｜Ｓｈ｜≦５Ｐ                                             ……(4)
但し、Ｐは画素ピッチである。
【請求項３】
次の条件式(5)、(6)を満足することを特徴とする請求項２に記載の電子撮像装置。
（Lｈ−Lｄ）／Fmin ≧０．５Ｐ                              ……(5)
｜Ｓｈ｜≧０．０３Ｐ                                       ……(6)
但し、Ｐは画素ピッチである。
【請求項４】
前記撮像光学系は絞りを有し、前記絞りより像側のレンズ構成のうち、物体側から３枚が順に、負レンズ、正レンズ、正レンズであることを特徴とする請求項１または２に記載の電子撮像装置。
【請求項５】
前記負レンズと物体側の前記正レンズとが接合されていることを特徴とする請求項４に記載の電子撮像装置。
【請求項６】
前記撮像光学系は絞りを有し、前記絞りより像側のレンズのうち、物体側から３枚が順に、正レンズ、正レンズ、負レンズであり、前記３枚のレンズの像側に正レンズ群が配置されていることを特徴とする請求項１または２に記載の電子撮像装置。
【請求項７】
前記正レンズのうち像側の正レンズと前記負レンズとが接合されていることを特徴とする請求項６に記載の電子撮像装置。
【請求項８】
物体側から順に、正の屈折力を有する第１群と、負の屈折力を有する第２群と、絞りと、正の屈折力を有する第３群と正の屈折力を有する第４群とを有して構成され、前記第３群は物体側から順に２枚以下の正レンズと負レンズとで構成されていることを特徴とする請求項１または２に記載の電子撮像装置。
【請求項９】
前記第３群は１枚の正レンズと１枚の負レンズからなる接合レンズを有していることを特徴とする請求項８に記載の電子撮像装置。
【請求項１０】
前記第３群または前記第４群の一部の正レンズに異常分散性ΔθｇＦ＞０．０２７の硝材を、負レンズに異常分散性ΔθｇＦ＜０．０１の硝材をそれぞれ用いたことを特徴とする請求項８に記載の電子撮像装置。
【請求項１１】
前記撮像光学系は、物体側から順に、物体側に凸面を向けた負メニスカスレンズを有する前群と、絞りと、正の屈折力を有する後群とからなり、前記後群には、少なくとも１面の非球面を有し、次の条件式(7)及び(8)を満足する少なくとも１枚の正レンズを有する請求項１乃至３のいずれかに記載の電子撮像装置。
ΔθｇＦ（ｒ）＞０．０２５                                     ……(7)
−０．５＜（Ｒ１＋Ｒ２）／（Ｒ１−Ｒ２）＜０．５               ……(8)
但し、ΔθｇＦ（ｒ）は前記後群中の少なくとも１枚の正レンズの媒質の異常分散性、Ｒ１，Ｒ２はそれぞれ、前記後群中の少なくとも１枚の正レンズの物体側及び像側の近軸曲率半径である。
【請求項１２】
前記後群中の前記少なくとも１枚の正レンズ媒質のｄ線に対する屈折率よりも０．１７以上高い屈折率の媒質からなる正レンズを前記後群中に有してなる請求項１１に記載の電子撮像装置。
【請求項１３】
前記後群を物体側から順に、負レンズと正レンズの接合レンズ成分と、正レンズとで構成した請求項１１又は１２に記載の電子撮像装置。
【請求項１４】
前記前群を物体側から順に、正レンズと、負メニスカスレンズとの２枚のレンズで構成した請求項１１乃至１３のいずれかに記載の電子撮像装置。
【請求項１５】
前記撮像光学系は、物体側から順に、正の屈折力を有する第１群と、負の屈折力を有し変倍時に移動する第２群と、絞りと、正の屈折力を有する第３群と、正の屈折力を有し変倍時とフォーカス時に移動する第４群とを有して構成され、前記第４群には、少なくとも１面の非球面を有し、次の条件式(9)及び(10)を満足する少なくとも１枚の正レンズを有する請求項１乃至３のいずれかに記載の電子撮像装置。
ΔθｇＦ（４）＞０．０２５                                   ……(9)
−０．５＜（Ｒ１４＋Ｒ２４）／（Ｒ１４−Ｒ２４）＜０．５    ……(10)
但し、ΔθｇＦ（４）は前記第４群中の少なくとも１枚の正レンズの媒質の異常分散性、Ｒ１４，Ｒ２４はそれぞれ、前記第４群中の少なくとも１枚の正レンズの物体側及び像側の近軸曲率半径である。
【請求項１６】
前記第４群中の前記少なくとも１枚の正レンズ媒質のｄ線に対する屈折率よりも０．１７以上高い屈折率の媒質からなる正レンズを前記第３群以降の群中に有してなる請求項１５に記載の電子撮像装置。
【請求項１７】
前記絞りより像側のレンズ系が、物体側から順に、正レンズと、正レンズと負レンズの接合レンズ成分と、正レンズとで構成されている請求項１１、１２、１５、１６のいずれかに記載の電子撮像装置。
【手続補正２】
【補正対象書類名】明細書
【補正対象項目名】０００６
【補正方法】変更
【補正の内容】
【０００６】
【課題を解決するための手段】
本発明の趣旨は、ｈ線の色収差もｄ線の色収差と同様に補正することにある。それにより、被写体のｈ線が人間の目で強く認識されやすい青色の波長に再生されたとしても他の波長の再生と重ねることで極端に青が目立つ色フレアを除去するというものである。
具体的には、本発明による電子撮像装置は、カラー画像を得るための３つ以上の異なる分光特性を有する複数の画素を含む電子撮像素子と、電子撮像素子の撮像面上に被写体像を形成する撮像光学系とを有し、撮像光学系は、最小Ｆ値をFminとし、Ｆ値がFminかつ無限遠物点合焦時のｈ線（404.7nm）におけるマージナル光線の球面収差量の絶対値をLｈ、ｄ線（587.56nm）におけるマージナル光線の球面収差量の絶対値をLｄとしたときに、次の条件式(1)を満足するとともに、最大像高の像高比０．９、０．７、０．５におけるｄ線に対するｈ線の倍率色の横収差量をＳｈとしたときに、次の条件式(2)を満足することを特徴とする。
（Lｈ−Lｄ）／Fmin ≦０．０７ｍｍ                           ……(1)
｜Ｓｈ｜≦０．０４ｍｍ                                      ……(2)
【手続補正３】
【補正対象書類名】明細書
【補正対象項目名】０００７
【補正方法】変更
【補正の内容】
【０００７】
また、本発明による電子撮像装置は、カラー画像を得るための３つ以上の異なる分光特性を有する複数の画素を含む電子撮像素子と、前記電子撮像素子の撮像面上に被写体像を形成する撮像光学系とを有し、該撮像光学系は、前記画素の最小ピッチをＰ、最小Ｆ値をFminとし、Ｆ値がFminかつ無限遠物点合焦時のｈ線（404.7nm）におけるマージナル光線の球面収差量の絶対値をLｈ、ｄ線（587.56nm）におけるマージナル光線の球面収差量の絶対値をLｄとしたときに、次の条件式(3)を満足するとともに、最大像高の像高比０．９、０．７、０．５におけるｄ線に対するｈ線の倍率色の横収差量をＳｈとしたときに、次の条件式(4)を満足することを特徴とする。
（Lｈ−Lｄ）／Fmin ≦６Ｐ                                  ……(3)
｜Ｓｈ｜≦５Ｐ                                             ……(4)
但し、Ｐは画素ピッチである。
【手続補正４】
【補正対象書類名】明細書
【補正対象項目名】０００８
【補正方法】変更
【補正の内容】
【０００８】
また、本発明は、好ましくは、上記構成に加えて、次の条件式(5)、(6)を満足することを特徴とする。
（Lｈ−Lｄ）／Fmin ≧０．５Ｐ                              ……(5)
｜Ｓｈ｜≧０．０３Ｐ                                       ……(6)
但し、Ｐは画素ピッチである。
また、本発明による電子撮像装置は、前記撮像光学系が絞りを有し、前記絞りより像側のレンズ構成のうち、物体側から３枚が順に、負レンズ、正レンズ、正レンズであることを特徴とする。
また、本発明による電子撮像装置は、前記負レンズと物体側の前記正レンズとが接合されていることを特徴とする。
また、本発明による電子撮像装置は、前記撮像光学系が絞りを有し、前記絞りより像側のレンズのうち、物体側から３枚が順に、正レンズ、正レンズ、負レンズであり、前記３枚のレンズの像側に正レンズ群が配置されていることを特徴とする。
また、本発明による電子撮像装置は、前記正レンズのうち像側の正レンズと前記負レンズとが接合されていることを特徴とする。
また、本発明による電子撮像装置は、物体側から順に、正の屈折力を有する第１群と、負の屈折力を有する第２群と、絞りと、正の屈折力を有する第３群と正の屈折力を有する第４群とを有して構成され、前記第３群は物体側から順に２枚以下の正レンズと負レンズとで構成されていることを特徴とする。
また、本発明による電子撮像装置は、前記第３群が１枚の正レンズと１枚の負レンズからなる接合レンズを有していることを特徴とする。
また、本発明による電子撮像装置は、前記第３群または前記第４群の一部の正レンズに異常分散性ΔθｇＦ＞０．０２７の硝材を、負レンズに異常分散性ΔθｇＦ＜０．０１の硝材をそれぞれ用いたことを特徴とする。
また、本発明による電子撮像装置は、前記撮像光学系が、物体側から順に、物体側に凸面を向けた負メニスカスレンズを有する前群と、絞りと、正の屈折力を有する後群とからなり、前記後群には、少なくとも１面の非球面を有し、次の条件式(7)及び(8)を満足する少なくとも１枚の正レンズを有することを特徴とする。
ΔθｇＦ（ｒ）＞０．０２５                                     ……(7)
−０．５＜（Ｒ１＋Ｒ２）／（Ｒ１−Ｒ２）＜０．５               ……(8)
但し、ΔθｇＦ（ｒ）は前記後群中の少なくとも１枚の正レンズの媒質の異常分散性、Ｒ１，Ｒ２はそれぞれ、前記後群中の少なくとも１枚の正レンズの物体側及び像側の近軸曲率半径である。
また、本発明による電子撮像装置は、前記後群中の前記少なくとも１枚の正レンズ媒質のｄ線に対する屈折率よりも０．１７以上高い屈折率の媒質からなる正レンズを前記後群中に有してなることを特徴とする。
また、本発明による電子撮像装置は、前記後群を物体側から順に、負レンズと正レンズの接合レンズ成分と、正レンズとで構成したことを特徴とする。
また、本発明による電子撮像装置は、前記前群を物体側から順に、正レンズと、負メニスカスレンズとの２枚のレンズで構成したことを特徴とする。
また、本発明による電子撮像装置は、前記撮像光学系が、物体側から順に、正の屈折力を有する第１群と、負の屈折力を有し変倍時に移動する第２群と、絞りと、正の屈折力を有する第３群と、正の屈折力を有し変倍時とフォーカス時に移動する第４群とを有して構成され、前記第４群には、少なくとも１面の非球面を有し、次の条件式(9)及び(10)を満足する少なくとも１枚の正レンズを有することを特徴とする。
ΔθｇＦ（４）＞０．０２５                                   ……(9)
−０．５＜（Ｒ１４＋Ｒ２４）／（Ｒ１４−Ｒ２４）＜０．５    ……(10)
但し、ΔθｇＦ（４）は前記第４群中の少なくとも１枚の正レンズの媒質の異常分散性、Ｒ１４，Ｒ２４はそれぞれ、前記第４群中の少なくとも１枚の正レンズの物体側及び像側の近軸曲率半径である。
また、本発明による電子撮像装置は、前記第４群中の前記少なくとも１枚の正レンズ媒質のｄ線に対する屈折率よりも０．１７以上高い屈折率の媒質からなる正レンズを前記第３群以降の群中に有してなることを特徴とする。
更に、本発明による電子撮像装置は、前記絞りより像側のレンズ系が、物体側から順に、正レンズと、正レンズと負レンズの接合レンズ成分と、正レンズとで構成されていることを特徴とする。
【手続補正５】
【補正対象書類名】明細書
【補正対象項目名】００６８
【補正方法】変更
【補正の内容】
【００６８】
（１８）前記絞りより像側のレンズ系が、物体側から順に、正レンズと、正レンズと負レンズの接合レンズ成分と、正レンズとで構成されている上記（１２）、（１３）、（１６）、（１７）のいずれかに記載の電子撮像装置。